(57)【特許請求の範囲】
【請求項１】
成形された流体発振回路（２０）と該流体発振回路が挿入されるキャビティを有するハウジング（１０）とから成り、前記流体発振回路は、幅（Ｗ）を有する少なくとも１つのパワーノズル（ＰＮ−１，ＰＮ−２）と、該パワーノズルに圧力流体源（２２）を連結する連結通路（２１）と、前記パワーノズルから流体ジェットの放出を受ける発振室（ＯＣ）と、を有し、該発振室は大気への出口（ＯＡ）を有する、成形された洗浄液スプレー用流体素子において、
前記連結通路は、平坦な拡大部分と該拡大部分を横切って間隔を置いた円形横断面を有する多数のポスト（２４−１，２４−２，・・・２４−Ｎ）を備え、前記流体発振回路、前記連結通路および前記ポストは一体的に成形され、該ポストの間の空隙（Ｓ）は、前記パワーノズルの幅（Ｗ）より小さく、前記空隙（Ｓ）の合計は、前記幅（Ｗ）より大きいことを特徴とし、かつ前記連結通路、前記平坦な拡大部分及び前記空隙（Ｓ）の寸法は、１つ又は複数の異物粒子が前記ポストの間の１つ又は複数の前記空隙を閉鎖しても前記流体源から前記パワーノズルへの流体流量が実質的に影響を受けないような大きさであることを特徴とする流体素子。
【請求項２】
前記ポストの間の空隙（Ｓ）は、ほぼ一様である請求項１に記載の流体素子。
【請求項３】
前記連結通路、前記平坦な拡大部分、および前記流体発振回路は同一平面上にある請求項１に記載の流体素子。
【請求項４】
前記流体発振回路は前記出口から大気へ液体小滴の扇形スプレーを放出し、前記平坦な拡大部分及び前記空隙（Ｓ）の寸法は、１つまたは複数の異物粒子が１つまたは複数の前記空隙に捕捉されても前記扇形スプレーが実質的に影響を受けないような大きさである請求項３に記載の流体素子。
【請求項５】
前記連結通路は上流部分と下流部分とを有し、前記上流部分と、該上流部分に配置された前記ポストとは、前記下流部分と同一平面上にない、請求項１の流体素子。
【発明の詳細な説明】
【０００１】
【発明の属する技術分野】
本発明は、特に流体スプレーに応用される流体素子に関する。
【０００２】
【従来の技術】
図１に示すような流体発振器は、公知であり、洗浄ノズルのような液体スプレーに使用される。このような流体発振器は、通常、成形プラスチィックから製造され、チップまたはインサート１３に成形された流体発振器回路ＯＣまたは輪郭と、チップまたはインサート１３を押して挿入するキャビティ１１を備えたハウジング１０とを有する。加圧された流体源が入口パイプまたは突起１２によって流体発振器回路ＯＣのパワーノズルＰＮに送られる。ハウジングの内面とチップまたはインサートのかみあい面との間の密封を確実なものとするために注意が払われる。このようなチップ及びハウジングを大量生産する際に、小さい遊離したプラスティック粒子が液体流によって搬送され、流体回路の部分、すなわち出口をつまらせ、それによって、流体（洗浄ノズルの場合洗浄液体）の流れをブロックする。流体発振器の場合、これは、発振機能を阻害する。
【０００３】
これまで、流体回路の上流にスクリーンまたは独立したフィルタスクリーンを配置する努力がなされてきた。本発明が解決しようとし、取り組む問題は、流体流が素子をつまらせる可能性である。本発明は、もし、汚れまたは粒子がポストの間の１つまたは複数の通路または空隙をふさぐ場合にも、流体が他の流通路を流れることができるように、主な流れ領域以外の領域にゴミまたは遊離した粒子がつまるか捕捉されるように、特別な場所すなわち拡大部分と間隔を置いたポストとを一体的に提供することによってこの問題を解決する。
【０００４】
本発明は、パワーノズルまたは主なジェット領域以外の領域にゴミが流れ停止するように特別に構成された領域に小さい輪郭を提供する。上述したような領域に間隔を置いたポストを一体的に成形された拡大部分を提供することによって、拡大領域の上流の一部がつまっても流体ノズルは機能し続ける。なぜならば、パワーノズルは依然として完全に開放しているからである。本発明を備えていない場合、通常、ゴミがパワーノズルまたはメインジェット領域に直接流れ、素子に機能不良を生じる。
【０００５】
本発明は、幅Ｗを有するパワーノズルと流体源を前記パワーノズルに連結する連結通路とを有する成形された流体素子に関する。連結通路は、拡大部分と当該拡大部分を横切って間隔を置いた複数のポストとを備え、当該ポストの間の空隙Ｓは、前記パワーノズルの幅より小さく、前記空隙Ｓの合計は、前記幅Ｗより大きい。連結通路及びポストは、流体素子と一体的に成形される。前記連結通路、前記平坦な拡大部分及び前記空隙Ｓの寸法は、異物粒子が前記ポストの間の１つの前記空隙を閉鎖しても前記流体源から前記パワーノズルへの流体流量が実質的に影響を受けないような大きさである。
【０００６】
一つの実施形態において、流体素子は、流体発振器であり、この発振器は、大気に流体の小滴の扇形スプレーを放出し、平坦な拡大部分及び空隙Ｓの寸法は、１つまたは複数の異物粒子が１つまたは複数の空隙に捕捉されたときにも、扇形スプレーに実質的に影響しないような寸法である。連結通路及びポストは、流体素子と一体的に成形される。一体的な成形品が挿入されるハウジング部材は、圧力下の液体源への結合部分を有する。
【０００７】
本発明は、液体が大気環境に放出されるとき、特に、車のガラスのような洗浄すべき表面にスプレーされる洗浄液であるとき、成形された流体スプレーノズルに有利な用途を有する。
【０００８】
本発明の利点は、次のようなものを含む。
１．ノズルを使用する素子の寿命を長くする。
２．別の部品を必要とし、フィルタを含む、または、フィルタを取り付けるためにホースの切断を必要とするインライン型フィルタと比較してコストの廉価なフィルタ機構を提供する。
【０００９】
【発明の実施の形態】
以下、本発明の実施形態を図面を参照して詳細に説明する。
図２Ａ及び図２Ｂを参照すると、複数パワーノズルのタイプの発振器２０であり、一対のパワーノズルＰＮ１及びＰＮ２が発振室ＯＣに流体（好ましくは液体）ジェットを放出し、この発振室ＯＣには、発振渦発生装置が設定され、発振渦発生装置は、出口開口ＯＡを通して掃引ジェットを大気に放出し、大気において、液体ジェットが小滴に分解する。パワーノズルＰＮ１、ＰＮ２への流体の供給は、流体源２２からの平坦な通路２１によって構成される。通路２１は、パワーノズルＰＮ１及びＰＮ２への液体の流れの平坦な拡大部分である。ハウジング１０′の一部が図示されている。流体発振部材の種々の他の実施形態は、米国特許第６，２５３，７８２号明細書（又は特表２００２−５２７２３５号公報）に開示されている。
【００１０】
複数のポストまたはピラー２４−１、２４−２・・・２４−Ｎが回路部材の本体と一体的に成形されている。パワーノズルＰＮ１、ＰＮ２の各々が幅Ｗを有し、ピラーまたはポスト２４−１、２４−２・・・２４−Ｎの間の空隙は、等しいことは必要ではないが、等しいことが好ましい。各ポスト２４の間の空隙Ｓは、パワーノズルの幅Ｗより小さく、空隙Ｓの合計は、パワーノズルの幅Ｗより大きい。上述したように、拡大部分は平坦であり、基本的には流体回路部材２０と同一平面である。
【００１１】
図３Ａ及び３Ｂに示す実施例は、ポストまたはピラー２４′が弧状に配置されていることを除いて図２の実施形態と同様である。この実施形態において、流体発振器の床Ｆは、出口ＯＡ′のスロートまで平坦であり、ここで断面図（図３Ｂ）に示すように下方へテーパしている。この実施形態において、流体流は、図３Ｂに示すように開口３０を通り部材の底部から流れるが、上部から流れることもできる。ハウジングの一部が図３Ｂに示されている。
【００１２】
図４に示す実施例において、異なる流体発振器ＦＯが示されている（１９８４年８月７日にBrayに付与された米国特許第４，４６３，９０４号及び１９８７年２月２４日に付与された米国特許第４，６４５，１２６号に示されたタイプである）。この実施例において、ピラーまたはポスト２４″は、一列であり、流体供給口ＦＰは、ピラーまたはポスト２４″の前または上流にあることに留意すべきである。
【００１３】
図５に示す実施例において、ピラーまたはポスト５６−１、５６−２・・・５６−Ｎは、必ずしも円形、丸形または矩形である必要はなく、種々の形状をとることができる。この実施例において、流体発振器ＦＯ′は、１９８５年４月２日に発行されたStoufferに付与された米国特許第４，５０８，２６７号に示されたタイプである。各ケースにおいて、パワーノズルまたは液体の入口の間の種々の複数の通路は空隙Ｓ及び図５に示す実施例を有する。空隙は変化することができる。ポストの間の空隙Ｓはいずれも全部がパワーノズルの幅Ｗより小さく、空隙の合計は、異物粒子がポストの間の１つまたは複数の空隙Ｓをつまらせた場合にも流体源からパワーノズルへの流体流が影響を受けないように幅Ｗより大きい。
【００１４】
図６Ａ及び図６Ｂに示す実施例において、流体発振器は、「反転室発振器」と題されたRaughuの欧州特許出願公開／ＥＰ１１２４６４３Ａ又は国際特許出願公開ＷＯ００／２４５２０Ａに示されている。この実施形態において、流体素子インサート６０は、上下に重ねられた部材を有し、図６Ｂに平面図が示された下半分の部材に流体または液体連結通路６１と間隔を置いたポスト６２が形成されている。
【００１５】
図７において、一体的フィルタは、典型的な非流体素子の二重ノズルタイプのウインドシールド洗浄ノズルに使用されている。この実施形態において、単一のポートノズル又は３つのポートノズルも使用することができる。この場合においても、通路の拡大部７１のポストまたはピラー７０は、全て二重スプレーノズルＳＮ−１、ＳＮ−２より上流にある。
【００１６】
本発明を本発明の好ましい実施形態に関連して説明したが、本発明の他の実施形態、変形例は当業者に明らかである。
【図面の簡単な説明】
【図１】  従来技術の流体発振器のインサート及びハウジングの分解図である。
【図２】  図２Ａは、本発明による流体発振器の好ましい実施形態を示し、図２Ｂは、線２−２に沿った断面図である。
【図３】  図３Ａは、本発明の他の実施形態であり、図３Ｂは、線３−３に沿った断面図である。
【図４】  他のタイプの流体発振器に応用される本発明のビルトイン型フィルタを示す図面である。
【図５】  本発明の更に他の実施形態の、パワーノズルを備えた流体発振器を示す。
【図６】  本発明を組み込んだ流体発振器の回路図であり、図６Ｂは、パワーノズルへの流路を示し、図６Ａは、図６Ｂの点線で示した入力パワーノズル、及びビルトインフィルタを有する流体発振器を示す。
【図７】  フィルタが二重ノズルタイプのウインドシールド洗浄ノズルに使用され、同じ種類の単一の及び３つのノズルにつくることができるビルトイン型フィルタを示す図である。
【図１】
0003977991.tif 000002
【図２Ａ】
0003977991.tif 000003
【図２Ｂ】
0003977991.tif 000004
【図３Ａ】
0003977991.tif 000005
【図３Ｂ】
0003977991.tif 000006
【図４】
0003977991.tif 000007
【図５】
0003977991.tif 000008
【図６Ａ】
0003977991.tif 000009
【図６Ｂ】
0003977991.tif 000010
【図７】
0003977991.tif 000011